(57)【要約】      （修正有）【課題】アーチ状の可撓性ポールによる弾性反発力で自立を実現したテントにおいて、天幕及び床シートを組み込んだ状態のまま折り畳み収納を可能とした。【解決手段】適宜な開口部１１を備えたドーム状の天幕１と、天幕と対応する床シート２を備え、可撓性のポール３を天幕の峰となる４箇所に設けた筒状部１２に交差アーチ状に挿着すると共に、各ポールの端部に天幕の隅部及び床シートの隅部をテープ体５を介して連結し、各ポール端部にポール両端をリング状に連結可能とした着脱連結体４ａを設けてなり、収納時に着脱連結体を連結してポールをリング状とし、更に小さいリング状に折り込みコンパクト収納を可能とした。【選択図】図１
0003207181.tif 000002
【実用新案登録請求の範囲】
【請求項１】
適宜な開口部を備えたドーム状の天幕と、前記天幕と対応する床シートとを備え、可撓性のポールを天幕の峰となる４箇所に設けた筒状部に交差アーチ状に挿着すると共に、各ポール端部に天幕の隅部及び床シート隅部を連結し、各ポール端部にポールをリング状に連結可能とした着脱連結体を設けてなることを特徴とする折り畳みテント。
【請求項２】
着脱連結体をポールの軸方向延長に設け、端面部分が一方を差込突部とし、他方を受穴部としてなる請求項１記載の折り畳みテント。
【請求項３】
着脱連結体に鍔部を形成すると共に、当該鍔部に天幕の隅部及び床シート隅部に縫合したテープ体を結着して、ポール端部と天幕及び床シートの各隅部との連結をしてなる請求項１又は２記載の折り畳みテント。
【請求項４】
テープ体の延長部分にペグ装着用ループを形成してなる請求項３記載の折り畳みテント。
【請求項５】
着脱連結体の何れかに適宜径の収納保持用ゴム輪を設けてなる請求項１乃至４記載の何れかの折り畳みテント。
【考案の詳細な説明】
【技術分野】
【０００１】
本考案は、折り畳みテントに関するものである。
【背景技術】
【０００２】
可撓性ポールの弾性反発を利用して天幕を張るテントは、ポールと天幕を一体化するために天幕上面における前記ポールと対応する箇所（天幕の峰該当箇所）を筒状部に形成し、当該筒状部にポールを挿通して構成されており、更にポール端に該当する箇所においては天幕と連結すると共に、適宜なペグ連結部を設けている（特許文献１）。
【０００３】
また前記の可撓性ポールを採用し、天幕を組み込んだままでの折畳みを可能としたテントは、８の字状に交差させた左右のポール枠内に左右天幕を張布すると共に、前記天幕の８の字交差部分が頂上となるがアーチ状に保持されるために、更に前後幕を帳布して構成している。このテントは、ポールをコイル状に折り畳むことができるようにしている（特許文献２）。
【０００４】
更に対面する枠状の可撓性ポールの間に逆Ｕ字状のポールを組み合わせた骨組みを採用し、天幕を装着したままポールをコイル状に折り畳むテントも知られている（特許文献３）。
【先行技術文献】
【特許文献】
【０００５】
【特許文献１】特開平１１−３５０７９８号公報。
【特許文献２】実開平１−１４３８５９号公報。
【特許文献３】特開２００１−１４０５０３号公報。
【考案の概要】
【考案が解決しようとする課題】
【０００６】
可撓性ポールを使用したテントにおいて、ポールをアーチ状に使用した場合（特許文献１記載のテント）は、枠状ポールを採用したテント（特許文献２，３）に比較して、同一長のポール材を使用した際にはテント内容積を大きくできるが、天幕を装着したまま折り畳みが困難である。一方枠状ポールを採用したテントは天幕を装着した状態で折り畳みが可能で且つ折りたたみ状態から自立してテントが形成される利点があるが、枠状ポールに対して天幕を帳布する製造上の煩瑣や、使用資材（ポール）の割にテント内容積が小さいという課題がある。
【０００７】
そこで本考案は、アーチ状ポールを使用し、且つ天幕等を装着した状態での折り畳み及び自立形成を可能とした折り畳みテントを提案したものである。
【課題を解決するための手段】
【０００８】
本考案の請求項１記載に係る折り畳みテントは、適宜な開口部を備えたドーム状の天幕と、前記天幕と対応する床シートとを備え、可撓性のポールを天幕の峰となる４箇所に設けた筒状部に交差アーチ状に挿着すると共に、各ポール端部に天幕の隅部及び床シート隅部を連結し、各ポール端部にポールをリング状に連結可能とした着脱連結体を設けてなることを特徴とするものである。
【０００９】
而して上記テントは、交差配置されているポールの端部が天幕の隅部及び床シート隅部と連結されているので、ポールの弾性反発でポールがアーチ状を維持して自立している。折り畳みに際しては、天幕及び床シートを連結した状態で着脱連結体を互いに連結してポールをリング状とし、更に前記のポールリングを半分に折り巻くとことで、全体がポール長の半分の円周に対応する小リング状に折りたたまれる。また折り畳み状態から逆に折り畳まれたポールリングを戻し、着脱連結体の連結を解除するとポールの弾性反発でテントが自然に形成される。
【００１０】
また本考案の請求項２記載に係る折り畳みテントは、着脱連結体をポールの軸方向延長に設け、端面部分が一方を差込突部とし、他方を受穴部としてなるもので、ポールの弾性反発が差し込み方向（ポール軸方向）と直交する方向に作用するので、特に係止構造を必要とせずに容易に連結着脱を行うことができる。
【００１１】
また本考案の請求項３記載に係る折り畳みテントは、着脱連結体に鍔部を形成すると共に、当該鍔部に天幕の隅部及び床シート隅部に縫合したテープを結着してなり、また本考案の請求項４記載に係る折り畳みテントは、更にテープの延長部分にペグ装着用ループを形成してなるもので、ポール端部と天幕の隅部及び床シート隅部との連結が容易になされ、且つ軽量テントの設置に際してもペグによる固定が容易である。
【００１２】
また本考案の請求項５記載に係る折り畳みテントは、着脱連結体の何れかに適宜径の収納保持用ゴム輪を設けてなるもので、小リング状に折りたたまれた全体にゴム輪を掛けることで、折りたたみ状態からの不測の解けを防止できる。
【考案の効果】
【００１３】
本考案の構成は上記のとおりで、可撓性のポールを製造容易なテント梁としてのみで使用するテントにすると共に、収納時にはリング状として折り畳み可能としたものである。
【図面の簡単な説明】
【００１４】
【図１】本考案の実施形態の全体図（使用状態）。
【図２】同着脱連結体の説明図。
【図３】同折り畳み過程の説明図（大リングＡ）。
【図４】同図（大リングＡから小リング）。
【図５】同図（小リングＢ）。
【図６】同収納状態の説明図。
【考案を実施するための形態】
【００１５】
次に本考案の実施形態について説明する。実施形態に示したテントは、天幕１と床シート２と二本のポール３とポール３の端部に設けた着脱連結体４ａ，４ｂを備えて構成される。
【００１６】
天幕１は、４面構成のドーム形状で適宜面に開口部１１を設けると共に、天幕１の峰となる４箇所に筒状部１２を設けたものであり、床シート２は、前記天幕１の底面の範囲に対応するもので、天幕１及び床シート２は、その隅部を所定のテープ体５と共に縫合連結する。
【００１７】
ポール３は、適宜な可撓性及び長さを備えるもので、筒状部１２に挿着して交差アーチ状とし、交差頂部を天幕１の頂部に縫合連結した適宜な紐１３で結着し、各ポール３の両端部には着脱連結体４ａ，４ｂを設けてなる。
【００１８】
着脱連結体４ａ，４ｂは、ポールの軸方向の延長となるようにポール３の端部に突設したもので、先端面に、一方は差込突部４１を形成し、他方は受穴部４２に形成したものである。更に中間部分（前記差込突部４１と受穴部４２の連結に支障が無い位置）に鍔部４３を突設すると共に、前記鍔部４３に連結孔４４を設け、前記テープ体５を連結孔４４に挿通連結する。
【００１９】
また前記のテープ体５は、連結孔４４に連結した箇所の延長部分にペグ装着用ループ５１を形成しておき、適宜な着脱連結体４ａの一つには収納保持用ゴム輪６を付設しておく。
【００２０】
而して上記テントは、交差配置されているポール３の端部に設けた着脱連結体４ａ，４ｂの連結孔４４に、天幕１の隅部及び床シート２の隅部に縫合連結したテープ体５を連結しているので、ポール３の弾性反発によって天幕１がドーム状に維持されテントとして自立する。従って当該状態でテントとして使用するものである（図１）。また必要に応じてペグ装着用ループ５１に地中に打ち込んだペグ（図示せず）を引掛けておくと、風対策ともなる。
【００２１】
そしてテントを収納する場合には、ポール３の両端の着脱連結体４ａ，４ｂを向い合せて差込突部４１を受穴部４２に差し入れると、ポール３の弾性反発によって着脱連結体４ａ，４ｂの間には抜け方向の力が作用しないので、当該連結状態が維持され、ポール３はリグ状（大リングＡ）となる（図３）。
【００２２】
更に大リングＡを立てた状態で横方向から力を加えて瓢箪型（図４）にして折りこむと、当該箇所がクロスして更に二つに折り込まれて小さいリング状（小リングＢ）となる。
【００２３】
そこで小リングＢのものに対し、その直径方向に収納保持用ゴム輪６を掛け回して、小リングＢが不意に大リングＡに戻らない状態として、図６に示した携帯袋７に収納することで簡単に携帯可能となる。
【００２４】
また使用に際しては、携帯袋から取出し小リングＢから大リングＡに戻し（軽い力で戻る）、着脱連結体４ａ，４ｂの連結を解除すると、ポール３の弾性反発でテントが自然に形成される。
【符号の説明】
【００２５】
１      天幕
１１    開口部
１２    筒状部
１３    紐
２      床シート
３      ポール
４ａ，４ｂ    着脱連結体
４１    差込突部
４２    受穴部
４３    鍔部
４４    連結孔
５      テープ体
５１    ペグ装着用ループ
６      収納保持用ゴム輪
７      携帯袋
【図１】
0003207181.tif 000003
【図２】
0003207181.tif 000004
【図３】
0003207181.tif 000005
【図４】
0003207181.tif 000006
【図５】
0003207181.tif 000007
【図６】
0003207181.tif 000008